(57)【要約】【課題】マークを有する円盤状の指示部材と他の指示部材との両方の指す位置を使用者が認識し易い時計を提供する。【解決手段】時計（１）は、文字板または文字板上で突出する部材に設けられた第１の指標および第２の指標（２３，２４）と、文字板上で中心軸（２５）の周りに回転し、第１の指標との組合せにより第１の複数の値のうちの１つを指示する第１の指示部材（２１）と、文字板上で中心軸の周りに回転し、半径が第１の指示部材の回転半径よりも大きく、上面の外周側にマーク（２２１）が設けられ、マークと第２の指標との組合せにより第２の複数の値のうちの１つを指示する円盤状の第２の指示部材（２２）とを有し、第１の指標の位置はマークよりも中心軸側であり、第２の指示部材におけるマークよりも中心軸側の領域は、第１の指標を上方から視認可能に構成されている。【選択図】図２
2019095350.tif 000002
【特許請求の範囲】
【請求項１】
文字板または前記文字板上で突出する部材に設けられた第１の指標および第２の指標と、
前記文字板上で中心軸の周りに回転し、前記第１の指標との組合せにより第１の複数の値のうちの１つを指示する第１の指示部材と、
前記文字板上で前記中心軸の周りに回転し、半径が前記第１の指示部材の回転半径よりも大きく、上面の外周側にマークが設けられ、前記マークと前記第２の指標との組合せにより第２の複数の値のうちの１つを指示する円盤状の第２の指示部材と、を有し、
前記第１の指標の位置は前記マークよりも前記中心軸側であり、
前記第２の指示部材における前記マークよりも前記中心軸側の領域は、前記第１の指標を上方から視認可能に構成されている、
ことを特徴とする時計。
【請求項２】
前記第２の指示部材には、前記第２の複数の値にそれぞれ対応する複数のマークが設けられており、
前記第２の指標により前記複数のマークのうちの１つが指示される、請求項１に記載の時計。
【請求項３】
前記文字板または前記文字板上で突出する部材には、前記第１の複数の値にそれぞれ対応する複数の第１の指標が設けられており、
前記第１の指示部材は前記複数の第１の指標のうちの１つを指示する、請求項１または２に記載の時計。
【請求項４】
前記第１の指示部材は円盤状であり、
前記第１の指示部材には、前記第１の複数の値にそれぞれ対応する複数の別のマークが設けられており、
前記第１の指標により前記複数の別のマークのうちの１つが指示される、請求項１または２に記載の時計。
【請求項５】
前記第２の指示部材における前記マークよりも前記中心軸側の領域は透明である、請求項１〜４のいずれか一項に記載の時計。
【請求項６】
前記第２の指示部材には、前記マークよりも前記中心軸側に貫通孔が形成されている、請求項１〜４のいずれか一項に記載の時計。
【請求項７】
前記第２の指標は、前記中心軸を中心とする径方向において、前記第１の指標と前記マークの間に設けられている、請求項１〜６のいずれか一項に記載の時計。
【請求項８】
前記第１および第２の指示部材のうちの少なくとも一方は、回転領域のうちの扇形の一部のみが視認可能であるように配置されている、請求項１〜７のいずれか一項に記載の時計。
【請求項９】
前記第２の複数の値のそれぞれは、時計が有する複数の機能のうちのいずれかを表す、請求項１〜８のいずれか一項に記載の時計。
【発明の詳細な説明】
【技術分野】
【０００１】
本発明は、時計に関する。
【背景技術】
【０００２】
特許文献１には、時針、分針および透明な薄板円板の秒盤を有し、秒盤に形成された秒表示マークが文字盤上を浮遊するように回転することにより秒表示を行う秒盤表示腕時計が記載されている。この時計では、時針、分針および秒盤はいずれも文字盤の中央を中心として回転し、これらに共通の指標（インデックス、目盛）が文字盤の外周部に設けられている。
【０００３】
特許文献２には、アナログ表示用ムーブメントを用いたディジタル表示時計が記載されている。この時計は、時間を表示する数字などが打抜かれて穴明けされているかまたは透明あるいは半透明になっている円板状の時板と分板を有し、時板と分板のいずれか大きい方の相重なる部分が透明になっており、ムーブメントに固定された文字板には時刻表示部のみ明彩色が施され、他の部分は時板および分板の不透明部と同色である。
【先行技術文献】
【特許文献】
【０００４】
【特許文献１】実開平１−１６０３８８号公報
【特許文献２】実開昭５１−１９８５７号公報
【発明の概要】
【発明が解決しようとする課題】
【０００５】
特許文献１の時計では、文字盤上の指標が秒盤の秒表示マークよりも外周側に配置されており、例えば分針（指針）の指す位置によっては分針とマークが重なるため、マークの視認性が阻害される。また、指針とマークが重ならないように指針を短くすると、指針と指標との間隔が広くなるため、指針がどこを指しているのかが判り難くなる。指針と円盤針の組合せに限らず、例えば円盤針と円盤針の組合せの場合でも同様に、円盤針のマークが他の円盤針や指針などの指示部材と重なればマークの視認性が阻害され、指示部材と指標との間隔が広くなれば指示部材がどこを指しているのかが判り難くなる。
【０００６】
そこで、本発明は、マークを有する円盤状の指示部材と他の指示部材との両方の指す位置を使用者が認識し易い時計を提供することを目的とする。
【課題を解決するための手段】
【０００７】
文字板または文字板上で突出する部材に設けられた第１の指標および第２の指標と、文字板上で中心軸の周りに回転し、第１の指標との組合せにより第１の複数の値のうちの１つを指示する第１の指示部材と、文字板上で中心軸の周りに回転し、半径が第１の指示部材の回転半径よりも大きく、上面の外周側にマークが設けられ、マークと第２の指標との組合せにより第２の複数の値のうちの１つを指示する円盤状の第２の指示部材とを有し、第１の指標の位置はマークよりも中心軸側であり、第２の指示部材におけるマークよりも中心軸側の領域は、第１の指標を上方から視認可能に構成されていることを特徴とする時計が提供される。
【０００８】
第２の指示部材には、第２の複数の値にそれぞれ対応する複数のマークが設けられており、第２の指標により複数のマークのうちの１つが指示されることが好ましい。
【０００９】
文字板または文字板上で突出する部材には、第１の複数の値にそれぞれ対応する複数の第１の指標が設けられており、第１の指示部材は複数の第１の指標のうちの１つを指示することが好ましい。
【００１０】
第１の指示部材は円盤状であり、第１の指示部材には、第１の複数の値にそれぞれ対応する複数の別のマークが設けられており、第１の指標により複数の別のマークのうちの１つが指示されることが好ましい。
【００１１】
第２の指示部材におけるマークよりも中心軸側の領域は透明であるか、第２の指示部材には、マークよりも中心軸側に貫通孔が形成されていることが好ましい。
【００１２】
第２の指標は、中心軸を中心とする径方向において、第１の指標とマークの間に設けられていてもよい。
【００１３】
第１および第２の指示部材のうちの少なくとも一方は、回転領域のうちの扇形の一部のみが視認可能であるように配置されていてもよい。
【００１４】
第２の複数の値のそれぞれは、時計が有する複数の機能のうちのいずれかを表してもよい。
【発明の効果】
【００１５】
上記の時計によれば、マークを有する円盤状の指示部材と他の指示部材との両方の指す位置を使用者が認識し易い。
【図面の簡単な説明】
【００１６】
【図１】時計１の上面図である。
【図２】表示部２０の上面図、分解図、縦断面図および分解斜視図である。
【図３】別の表示部２０Ａの上面図、分解図および縦断面図である。
【図４】別の表示部２０Ｂの上面図、分解図および縦断面図である。
【図５】別の表示部２０Ｃの上面図、分解図および縦断面図である。
【図６】別の表示部２０Ｄの上面図および分解図である。
【図７】別の表示部２０Ｅの上面図および分解図である。
【図８】別の表示部２０Ｆの上面図および分解図である。
【図９】別の表示部２０Ｇの上面図および分解図である。
【図１０】別の表示部２０Ｈの上面図および分解図である。
【図１１】別の表示部２０Ｉの上面図および分解図である。
【図１２】別の表示部２０Ｊの上面図および分解図である。
【図１３】別の表示部２０Ｋの上面図である。
【図１４】別の表示部２０Ｌの上面図である。
【図１５】別の表示部２０Ｍの縦断面図である。
【図１６】別の表示部２０Ｎの縦断面図である。
【発明を実施するための形態】
【００１７】
以下、図面を参照して、時計について詳細に説明する。ただし、本発明は図面または以下に記載される実施形態には限定されないことを理解されたい。
【００１８】
図１は、時計１の上面図である。図１に示すように、時計１の外装ケース３の内側であって、時計１の最上層を覆う透明の風防ガラスの下側には、円盤状の文字板２が設けられている。外装ケース３の右側の側面には、文字板２の３時の方向にリューズ４が、２時および４時の方向に操作ボタン５が、それぞれ設けられている。
【００１９】
文字板２上では、その中央を回転軸として、時針１１、分針１２および秒針１３が回転する。文字板２の外周側には、これらの指針の回転軸を中心とする同一円周上における０〜５９分の位置に、各指針が指示する時刻を示すための６０個の指標（インデックス）１４が、等間隔に設けられている。指標１４は、図示したものに限らず、文字、数字もしくは記号、または文字板２上の突起などでもよい。また、図示した例のように、指標１４のうちの一部の大きさ、形状および径方向の位置などが、他の指標１４のものとは異なっていてもよい。時針１１、分針１２、秒針１３および指標１４は、時計１の表示部１０を構成し、現在時刻を表示する。
【００２０】
時計１では、例えば風防ガラスの下面であって文字板２の外周部における指標１４よりも外側に、都市表示６が設けられている。都市表示６は、世界共通の標準時に基づく時差に応じた順序で、複数の都市または地域の略称を円周方向に配列したものである。また、時計１では、時針１１、分針１２および秒針１３の回転軸よりも図中の下側（６時方向）に、表示部１０とは異なる時刻を補助的に表示する別の表示部２０が設けられている。表示部２０は、例えば、都市表示６に含まれる都市または地域であって、表示部１０が表示する時刻と時差がある別の都市における現在時刻を表示する。
【００２１】
図２（Ａ）〜図２（Ｄ）は、それぞれ、表示部２０の上面図、分解図、縦断面図および分解斜視図である。表示部２０は、指針２１、円盤針２２、第１の指標２３、第２の指標２４および回転軸２５を有する。図２（Ｂ）では、表示部２０を、指針２１、円盤針２２ならびに文字板２上の第１の指標２３および第２の指標２４に分けて示している。図２（Ｃ）では、回転軸２５を含み文字板２に垂直な平面で指針２１、円盤針２２および文字板２を切断したときの断面を示している。
【００２２】
指針２１は、回転軸２５を中心として時計周りに回転することで文字板２上の一方向を指示する細長い部材であり、表示部２０の分針として機能する。指針２１の形状は、図示した略Ｖ字型のものに限らず、時針１１、分針１２および秒針１３のような棒状のものでもよい。指針２１の長さは円盤針２２の半径よりも短く、指針２１の先端と円盤針２２の外周端部との間には間隔が空いている。
【００２３】
円盤針２２は、その中央を回転軸２５が貫通し回転軸２５を中心として時計周りに回転する円盤状の部材であり、表示部２０の時針として機能する。円盤針２２は指針２１と文字板２の間に配置され、円盤針２２の半径は、指針２１の回転半径よりも大きい。円盤針２２には、外周端部において、円周方向に、２時、４時、・・・、２４時にそれぞれ対応する「０２」、「０４」、・・・、「２４」の１２個のマーク２２１が等間隔に設けられている。マーク２２１は、例えば、円盤針２２を打ち抜くか、あるいは円盤針２２の上面への印刷または貼付けによって形成される。円盤針２２は例えば透光性の基板で構成され、上方から円盤針２２を通して文字板２を視認可能である。必ずしも円盤針２２の全体が透明でなくてもよいが、少なくとも円盤針２２におけるマーク２２１よりも回転軸２５側の領域（図２（Ａ）に示す破線２２５の内側の領域）は透明であることが好ましい。
【００２４】
第１の指標２３は、文字板２上の０〜５９分の方向にそれぞれ対応する６０個の目盛（インデックス）で構成され、文字板２の上面において、回転軸２５を中心とする同一円周上に等間隔に設けられている。第１の指標２３も、指標１４と同様に、文字、数字もしくは記号、または文字板２上の突起などでもよく、一部の指標の大きさ、形状、数および径方向の位置などが、他の指標のものとは異なっていてもよい。図２（Ｃ）に示すように、回転軸２５と第１の指標２３との距離ｒ１は、回転軸２５とマーク２２１との距離ｒ２よりも小さい。すなわち、第１の指標２３の径方向の位置は、円盤針２２のマーク２２１よりも回転軸２５側である。円盤針２２におけるマーク２２１よりも回転軸２５側の領域が透明であることで、第１の指標２３は、円盤針２２の上方から視認可能である。
【００２５】
第２の指標２４は、文字板２の上面において、円盤針２２よりもさらに外周側の６時方向の位置に設けられた略３角形状の記号（インデックス）である。第２の指標２４は、第１の指標２３とは異なり１つの指標で構成される。第２の指標２４の大きさおよび形状は図示したものとは異なっていてもよく、その円周方向の位置は、６時方向以外の位置でもよい。
【００２６】
回転軸２５は、指針２１と円盤針２２の回転中心となる軸（中心軸）であり、時計１のムーブメントにより駆動され、指針２１と円盤針２２を回転させる。指針２１と円盤針２２は、ムーブメント内の１つのモータにより連動して回転してもよいし、別々のモータにより互いに独立に回転してもよい。
【００２７】
指針２１は、第１の指示部材の一例であり、６０個の第１の指標２３のうちの１つを指示することで、第１の指標２３との組合せにより、現在時刻が何分かを表示する。図示した例では、指針２１は２時の方向を指しているので「１０分」を表す。また、円盤針２２は、第２の指示部材の一例であり、第２の指標２４により１２個のマーク２２１のうちの１つが指示されることで、マーク２２１と第２の指標２４との組合せにより、現在時刻が何時かを表示する。図示した例では、「１４」のマーク２２１が第２の指標２４に対向しているので、円盤針２２は「１４時」を表す。よって、表示部２０が表示する時刻は「１４時１０分」である。表示部２０では、０〜５９分が第１の複数の値に相当し、２時、４時、・・・、２４時が第２の複数の値に相当する。
【００２８】
表示部２０では、指針２１、第１の指標２３、マーク２２１および第２の指標２４は、回転軸２５から径方向にこの順序で配置されている。指針２１の回転半径は回転軸２５とマーク２２１との距離ｒ２よりも小さく、指針２１の先端は、平面視で第１の指標２３とは重なってもよいが、マーク２２１とは重ならない。表示部２０では、指針２１とマーク２２１が重ならないので、指針２１によってマーク２２１の視認性が阻害されることはなく、使用者は、円盤針２２が何時を指しているか（第２の指標２４によりどのマーク２２１が指示されているか）を認識し易い。また、第１の指標２３の位置がマーク２２１よりも回転軸２５側であり、平面視で指針２１の先端の近傍に第１の指標２３が配置されているため、使用者は、指針２１が何分を（第１の指標２３のうちのどれを）指しているかも認識し易い。このため、表示部２０では、指針２１と円盤針２２の視認性が向上する。
【００２９】
図３（Ａ）〜図３（Ｃ）は、別の表示部２０Ａの上面図、分解図および縦断面図である。図４（Ａ）〜図４（Ｃ）は、別の表示部２０Ｂの上面図、分解図および分解図である。図５（Ａ）〜図５（Ｃ）は、別の表示部２０Ｃの上面図、分解図および縦断面図である。これらの図では、第１および第２の指示部材の形状や配置に関する変形例を示している。
【００３０】
図３（Ａ）〜図３（Ｃ）に示す表示部２０Ａは、表示部２０の指針２１が円盤針２１Ａに置き換えられている点が表示部２０とは異なり、その他の点では表示部２０と同じ構成を有する。円盤針２１Ａは、指針２１と同じ形状の１つのマーク２１１Ａを有し、円盤針２２と同様に回転軸２５を中心として時計周りに回転する円盤状の部材である。円盤針２１Ａは、第１の指示部材の一例であり、表示部２０の分針として機能する。円盤針２１Ａの半径は、第１の指標２３が上方から視認可能であるように、回転軸２５と第１の指標２３との距離よりも小さく、第１の指標２３は、円盤針２１Ａよりも外周側に配置されている。表示部２０Ａのように、表示部は、指針と円盤針の組合せに限らず、円盤針と円盤針の組合せを有してもよい。
【００３１】
図４（Ａ）〜図４（Ｃ）に示す表示部２０Ｂは、表示部２０の円盤針２２が円盤針２２Ｂに置き換えられている点が表示部２０とは異なり、その他の点では表示部２０と同じ構成を有する。円盤針２２Ｂは、円盤針２２のものと同じマーク２２１よりも回転軸２５側に２つの半円状の貫通孔２２２が形成された環状盤である点が円盤針２２とは異なり、その他の点では円盤針２２と同じ構成を有する。円盤針２２Ｂは、第２の指示部材の一例であり、表示部２０の時針として機能する。第１の指標２３を円盤針２２の上方から視認可能にするためには、円盤針２２におけるマーク２２１よりも回転軸２５側の領域を透明に形成する代わりに、円盤針２２Ｂのように、その領域に貫通孔２２２を設けてもよい。
【００３２】
円盤針２２Ｂでは、回転軸２５との接続のために、２つの貫通孔２２２同士の間に、円盤針２２Ｂの直径に相当する直線部分２２３が残されている。円盤針２２Ｂの外周端部を歯車形状にし、別の歯車と噛み合わせてその円盤針を回転させれば、円盤針２２Ｂを直線部分２２３がない環状盤（すなわち、１つの円形の貫通孔を有する環状盤）とすることも可能である。ただし、その場合には、環状盤を回転させる歯車が見えないようなデザインにすることが好ましい。また、図示しないが、第１および第２の指示部材として、表示部２０Ａの円盤針２１Ａと表示部２０Ｂの円盤針２２Ｂの組合せを用いてもよい。
【００３３】
図５（Ａ）〜図５（Ｃ）に示す表示部２０Ｃは、指針２１と円盤針２２の位置が表示部２０とは逆になっている点が表示部２０とは異なり、その他の点では表示部２０と同じ構成を有する。指針２１、円盤針２２および文字板２は、表示部２０のように上方からこの順序で配置されていてもよいし、表示部２０Ｃのように円盤針２２、指針２１および文字板２の順序で配置されていてもよい。ただし、表示部２０Ｃよりも表示部２０の方が、指針２１の視認性が高くなるのでより好ましい。
【００３４】
図６（Ａ）、図７（Ａ）、図８（Ａ）、図９（Ａ）および図１０（Ａ）は、別の表示部２０Ｄ〜２０Ｈの上面図である。図６（Ｂ）、図７（Ｂ）、図８（Ｂ）、図９（Ｂ）および図１０（Ｂ）は、表示部２０Ｄ〜２０Ｈの分解図である。これらの図では、第１および第２の指示部材が時計の機能またはその値を表示する場合の変形例を示している。
【００３５】
図６（Ａ）および図６（Ｂ）に示す表示部２０Ｄは、表示部２０の円盤針２２が円盤針２２’に置き換えられ、円盤針が時刻ではなく時計の機能（モード）を表示する点が表示部２０とは異なり、その他の点では表示部２０と同じ構成を有する。円盤針２２’は、第２の指示部材の一例であり、円盤針２２と同じ形状および大きさを有するが、その外周端部には、円盤針２２とは異なる６個のマーク２２１’が円周方向に等間隔に設けられている。これらのマーク「ＬＬＩ」、「ＡＬＭ」、「ＣＨＲ」、「ＴＭＥ」、「ＵＴＣ」および「ＳＥＴ」は、順に、時計の光量表示、アラーム設定、クロノグラフ（ストップウォッチ）、通常時刻表示、協定世界時の表示、および時計の設定変更の各機能に対応する。
【００３６】
表示部２０Ｄを有する時計では、例えば使用者がリューズ４または操作ボタン５を操作することにより、指針２１とは独立に円盤針２２’が回転し、第２の指標２４により指示されるマーク２２１’に対応する機能が実行される。表示部２０Ｄでは、指針２１は、例えば、クロノグラフが選択された場合の秒針として機能する。また、表示部２０Ｄでは、０〜５９秒が第１の複数の値に相当し、時計が有する複数の機能が第２の複数の値に相当する。表示部２０Ｄのように、表示部は、時刻（時間）に限らず、時計の機能と時間を表示してもよい。
【００３７】
図７（Ａ）および図７（Ｂ）に示す表示部２０Ｅは、表示部２０Ｄの第１の指標２３が第１の指標２３’に置き換えられ、指針２１が時間ではなく時計の各機能の値を表示する点が表示部２０Ｄとは異なり、その他の点では表示部２０Ｄと同じ構成を有する。第１の指標２３’は、文字板２上において表示部２０Ｄの第１の指標２３と同じ位置の円周上に配置された複数の目盛で構成され、例えば、「ＬＬＩ」の光量表示であれば光量の大きさを、「ＡＬＭ」のアラーム設定であればそのＯＮ／ＯＦＦなどの設定値を表す。表示部２０Ｅでは、時計が有する複数の機能が第２の複数の値に相当し、それらの各機能の設定値が第１の複数の値に相当する。表示部２０Ｅのように、表示部は、時計の機能とその機能の設定値（機能値）を表示してもよい。
【００３８】
なお、指針２１と第１の指標２３’は、円盤針２２’と第２の指標２４により指示される機能とは別の機能に関する値を表示してもよい。例えば、指針２１と第１の指標２３’は、上記した６種類のマーク２２１’に対応する機能とは異なる、時計の充電残量（電池残量）を表示してもよい。
【００３９】
図８（Ａ）および図８（Ｂ）に示す表示部２０Ｆは、指針２１が円盤針２１’に、表示部２０Ｄの第１の指標２３が第１の指標２３’’にそれぞれ置き換えられている点が表示部２０Ｄとは異なり、その他の点では表示部２０Ｄと同じ構成を有する。円盤針２１’は、第１の指示部材の一例であり、表示部２０Ａの円盤針２１Ａと同じ形状および大きさを有する。ただし、円盤針２１’には、円盤針２１Ａとは異なり、互いに指示目的が異なる２組の複数のマーク２１１Ｆ，２１１Ｆ’が円周方向に設けられている。図示した例では、１つ目の指示目的であるマーク２１１Ｆとしては、日曜（ＳＵＮ）から土曜（ＳＡＴ）までの各曜日を表す文字が設けられている。２つ目の指示目的であるマーク２１１Ｆ’としては、充電残量表示用のＦ（最大）〜Ｅ（最小）の目盛を表す文字および目盛りが設けられている。第１の指標２３’’は、文字板２上の３時の方向において、マーク２１１Ｆ，２１１Ｆ’よりも回転軸２５側およびマーク２１１Ｆ，２１１Ｆ’と円盤針２２’のマーク２２１’との間に１つずつ設けられた略３角形状の記号である。
【００４０】
表示部２０Ｆでは、今までに説明した表示部２０〜２０Ｅとは逆に、第１の指標２３’’によりマーク２１１Ｆ，２１１Ｆ’のうちの１つが指示される。表示部２０Ｆは、例えば、円盤針２２’と第２の指標２４により「ＡＬＭ」のマーク２２１’が指示されたときに、円盤針２１’と第１の指標２３’’により、アラームが実行される曜日を表示してもよい。あるいは、表示部２０Ｆは、円盤針２２’と第２の指標２４による機能表示とは独立に、円盤針２１’と第１の指標２３’’により曜日を表示してもよい。
【００４１】
表示部２０Ｆとは異なり、第２の表示部材である円盤針２２’にマーク２１１Ｆ，２１１Ｆ’と同様のマークが形成されていてもよい。その場合には、第１の表示部材である円盤針２１’にマーク２２１’の内容を記載し、それらのマークのうちの１つを第１の指標２３’’が指示してもよいし、円盤針２１’と第１の指標２３’’を図２（Ａ）〜図２（Ｄ）の表示部２０における指針２１と第１の指標２３の組合せに置き換えてもよい。
【００４２】
図９（Ａ）および図９（Ｂ）に示す表示部２０Ｇは、表示部２０の第１の指標２３が第１の指標２３Ｇに置き換えられている点が表示部２０とは異なり、その他の点では表示部２０と同じ構成を有する。図示した例では、第１の指標２３Ｇは、光量表示用のＭａｘ（最大）〜Ｍｉｎ（最小）の目盛、充電残量表示用のＦ（最大）〜Ｅ（最小）の目盛、曜日表示用のＳ（日曜）、・・・、Ｔ（火曜）、・・・、Ｔ（木曜）、・・・、Ｓ（土曜）の文字、およびアラームなどの設定のＯＮ／ＯＦＦを表す文字で構成される。これらは、文字板２上において表示部２０Ｄの第１の指標２３と同じ位置の円周上に配置されている。
【００４３】
表示部２０Ｇでは、１２個のマーク２２１は、５秒、１０秒、・・・、６０秒にそれぞれ対応する「０５」、「１０」、・・・、「６０」の数字であり、０〜５９秒が第２の複数の値に相当し、時計が有する機能の設定値が第１の複数の値に相当する。表示部２０Ｇのように、円盤針２２ではなく指針２１により、時計の機能またはその設定値を表示してもよい。
【００４４】
図１０（Ａ）および図１０（Ｂ）に示す表示部２０Ｈは、表示部２０Ｆの第２の指標２４が第２の指標２４’に置き換えられている点が表示部２０Ｆとは異なり、その他の点では表示部２０Ｆと同じ構成を有する。第２の指標２４’は、文字板２上の３時の方向において、第１の指標２３’’とマーク２２１’の間および円盤針２２’よりも外周側に１つずつ設けられた略３角形状の記号である。表示部２０Ｈのように、第２の指標は、回転軸２５を中心とする径方向において、円盤針２２’よりも外周側だけでなく、第１の指標と円盤針２２’のマーク２２１’との間に設けられていてもよい。あるいは、第２の指標は第１の指標とマーク２２１’との間だけに設けられていてもよい。
【００４５】
図１１（Ａ）および図１１（Ｂ）は、別の表示部２０Ｉの上面図および分解図である。表示部２０Ｉは、表示部２０の第２の指標２４が第２の指標２４’’に置き換えられている点が表示部２０とは異なり、その他の点では表示部２０と同じ構成を有する。第２の指標２４’’は、文字板２上の６時の方向において、第１の指標２３よりも回転軸２５側および円盤針２２よりも外周側に１つずつ設けられた略３角形状の記号である。表示部２０Ｉのように、第２の指標は、回転軸２５を中心とする径方向において、円盤針２２よりも外周側だけでなく、第１の指標２３よりも回転軸２５側に設けられていてもよい。あるいは、第２の指標は第１の指標よりも回転軸２５側だけに設けられていてもよい。ただし、円盤針２２上のマーク２２１との距離を短くするためには、第２の指標は第１の指標２３よりも外周側にあることが好ましい。
【００４６】
図１２（Ａ）および図１２（Ｂ）は、別の表示部２０Ｊの上面図および分解図である。表示部２０Ｊは、指針２１Ｊ，２１Ｊ’、円盤針２２Ｊ、第１の指標２３Ｊ、第２の指標２４Ｊおよび回転軸２５を有する。指針２１Ｊ，２１Ｊ’は、第１の指示部材の一例であり、表示部２０Ｊの時針および分針として機能する。指針２１Ｊよりも指針２１Ｊ’の方がやや長く、指針２１Ｊ’の回転半径は、円形の第１の指標２３Ｊの半径と同程度である。円盤針２２Ｊは、第２の指示部材の一例であり、表示部２０Ｊの秒針として機能する。また、円盤針２２Ｊは、透光性の基板で構成され、円盤針２２とは異なりその外周端部にマーク２２１Ｊを１つだけ有する。第１の指標２３Ｊは、文字板２の上面においてマーク２２１Ｊよりも回転軸２５側に設けられた円形の目盛である。第２の指標２４Ｊは、文字板２の上面において円盤針２２Ｊもさらに外周側に設けられた円形の目盛である。
【００４７】
表示部２０Ｊでは、０〜２３時および０〜５９分が第１の複数の値に相当し、０〜５９秒が第２の複数の値に相当する。表示部２０Ｊでは、今までに説明した表示部２０〜２０Ｉとは逆に、第２の指標２４Ｊを構成する複数の目盛のうちの１つが１つのマーク２２１Ｊにより指示される。表示部２０Ｊのように、円盤針のマークを１つ、第２の指標を複数として、円盤針のマークが複数の第２の指標のうちの１つを指示してもよい。
【００４８】
図１３および図１４は、別の表示部２０Ｋ，２０Ｌの上面図である。これらの図では、表示部の一部が覆い隠されている場合の変形例を示している。図１３に示す表示部２０Ｋは、表示部２０Ｆのものと同じ円盤針２１’，２２’を有するが、それらの右側の半円部分のみが視認可能である点が表示部２０Ｆとは異なり、その他の点では表示部２０Ｆと同じ構成を有する。表示部２０Ｋのように、２つの円盤針の回転領域のうちで扇形の一部のみが視認可能であってもよく、回転領域の残りの部分は文字板２上で隠されていてもよい。これは、表示部が指針と円盤針の組合せで構成される場合も同様である。また、指針および円盤針は、必ずしも３６０度回転可能でなくてもよく、回転角度の上限と下限が制限されていてもよい。
【００４９】
図１４に示す表示部２０Ｌは、文字板２の上方から見たときに、円盤針２２上の領域であって、第１の指標２３よりも外周側の一部の領域２２４が隠されている点が表示部２０とは異なり、その他の点では表示部２０と同じ構成を有する。図示した例では、領域２２４は、円盤針２２の外周側の円環領域のうちで、円の半周よりもやや大きい範囲にわたって広がる領域である。表示部２０Ｌのように、第１の指標２３が配置され指針２１が回転する中央側の領域は全体が視認可能であり、マーク２２１が配置されている円盤針２２の外周側についてだけ、その回転領域の一部が隠されていてもよい。あるいは、時計のデザインによっては、円盤針２２の外周側の円環領域の全体が視認可能であり、かつ指針２１の回転領域の一部が隠されていてもよく、言い換えると、指針または円盤針の一方について、回転領域の一部のみが視認可能であってもよい。
【００５０】
図１５および図１６は、別の表示部２０Ｍ，２０Ｎの縦断面図である。これらの図では、第１の指標が文字板上の別部材に形成されている場合の変形例を示している。表示部２０Ｍ，２０Ｎは、第２の指標２４が文字板２の上面の外周部に配置された円環状の見返しリング７に設けられている点が表示部２０とは異なり、その他の点では表示部２０と同じ構成を有する。表示部２０Ｍの場合には、見返しリング７の上端に、文字板２の中央側（回転軸２５）に向けて水平方向に突出する突出部７ａが形成されており、突出部７ａに第２の指標２４が設けられている。表示部２０Ｎの場合には、見返しリング７の上端に、文字板２の中央側（回転軸２５）に向けて水平方向に突出する板状部材７ｂが配置されており、板状部材７ｂに第２の指標２４が設けられている。
【００５１】
表示部２０Ｍ，２０Ｎのように、第２の指標２４は、文字板２の上面に限らず、文字板２上に配置された見返しリング７などの構造物（突出部７ａ、板状部材７ｂなどの文字板２上で突出する部材）上に形成されていてもよい。同様に、第１の指標２３も、文字板２の上面に限らず、文字板２上に突出する構造物上に形成されていてもよい。あるいは、第１の指標２３および第２の指標２４のうちの一部が文字板２の上面に形成され、残りが構造物上に形成されていてもよい。
【００５２】
以上説明した表示部２０，２０Ａ〜２０Ｎは、時計における補助的な時刻表示部に限らず、時計１の表示部１０のような主要な時刻表示部であってもよい。表示部２０Ａ〜２０Ｎでも、表示部２０と同様に、円盤針２２，２２’，２２Ｂ，２２Ｊのマーク２２１，２２１’，２２１Ｊの視認性が他の指針または円盤針によって阻害されることはない。このため、使用者は、第２の指標２４，２４’，２４’’によりどのマークが指示されているか（あるいは、第２の指標２４Ｊがどのマークにより指示されているか）を認識し易い。また、使用者は、指針２１，２１Ｊ，２１Ｊ’または円盤針２１Ａが第１の指標２３，２３’，２３Ｇ，２３Ｊのうちのどれを指しているか（あるいは、第１の指標２３’’により円盤針２１’のどのマークが指示されているか）も認識し易い。
【符号の説明】
【００５３】
１    時計
２    文字板
１０，２０，２０Ａ〜２０Ｎ    表示部
２１，２１Ｊ，２１Ｊ’    指針
２１’，２１Ａ，２２，２２’，２２Ｂ，２２Ｊ    円盤針
２１１Ａ，２１１Ｆ，２１１Ｆ’，２２１，２２１’，２２１Ｊ    マーク
２３，２３’，２３’’，２３Ｇ，２３Ｊ    第１の指標
２４，２４’，２４’’，２４Ｊ    第２の指標
２５    回転軸
【図１】
2019095350.tif 000003
【図２】
2019095350.tif 000004
【図３】
2019095350.tif 000005
【図４】
2019095350.tif 000006
【図５】
2019095350.tif 000007
【図６】
2019095350.tif 000008
【図７】
2019095350.tif 000009
【図８】
2019095350.tif 000010
【図９】
2019095350.tif 000011
【図１０】
2019095350.tif 000012
【図１１】
2019095350.tif 000013
【図１２】
2019095350.tif 000014
【図１３】
2019095350.tif 000015
【図１４】
2019095350.tif 000016
【図１５】
2019095350.tif 000017
【図１６】
2019095350.tif 000018